(57)【要約】医療用測定装置は、患者のデータを測定する測定手段を設けられた第１部品と、データを送る通信手段を設けられた第２部品と、を備えており、第１部品は第２部品に取り外し自在に連結され、通信手段は無線である。
2005532863.tif 000002
【特許請求の範囲】
【請求項１】
患者のデータを測定する測定手段を設けられた第１部品と、
データを送る通信手段を設けられた第２部品と、を備え、
第１部品は第２部品に取り外し自在に連結され、
通信手段は無線である
ことを特徴とする医療用測定装置。
【請求項２】
第１部品は使い捨て物品である
ことを特徴とする請求項１に記載の医療用測定装置。
【請求項３】
第１部品がカセットとして構成され、
第２部品がカセットホルダーとして構成される
ことを特徴とする請求項１または２に記載の医療用測定装置。
【発明の詳細な説明】
【発明の概要】
【０００１】
本発明は、患者のデータを測定する測定手段を設けられた第１部品と、データを送る通信手段を設けられた第２部品と、を備え、第１部品が第２部品に取り外し自在に連結された医療用測定装置に関する。
【０００２】
泌尿器学上の測定を行うための使い捨てカテーテルを受ける連結ユニットが、国際特許出願ＷＯ０２／０７５９５から公知となっている。そのカテーテルには、さまざまな圧力に関するデータを測定するための圧力センサーが設けられている。連結ユニットは、周辺機器にデータを送る目的で、電気配線を用いて周辺機器に接続されている。
【０００３】
本発明の全般的な目的は、活用範囲を広げられた医療用万能測定装置を提供することである。
【０００４】
本発明による測定装置は、通信手段が無線であるという特徴を有している。
【０００５】
とりわけ、患者と周辺機器とが同一空間内に存在している必要がないという理由から、無線通信を適用することによって活用範囲は著しく増大される。加えて、本発明による測定装置は極めて使いやすく、このことは使用者の使い勝手を飛躍的な程度まで増大させる。ワイヤの欠如はさらに患者の移動の自由を飛躍的な程度まで増大させる。
【０００６】
第１の好ましい実施の形態において、第１部品は使い捨て物品からなる。測定装置は、これによって一度きりの使用あるいは多くとも一患者までの使用という原則に基づき、これにより、衛生学上の点から最高の要求を満たす。
【０００７】
第２の好ましい実施の形態において、第１部品がカセットとして構成され、第２部品がカセットホルダーとして構成されている。本発明による測定装置は小型化され、これにより、使用者の使い勝手をさらに高める。
【発明を実施するための形態】
【０００８】
実施の形態に基づき、および図面を参照し、本発明は以下に明らかにされる。
【０００９】
対応する構成部品は、図面において同一の参照番号により示されている。
【００１０】
図１は、カセットホルダー３に受け入れられるカセット２を備えた測定装置１を示している。カセット２には測定手段が設けられており、本実施の形態において、測定手段は泌尿器学の分野における液体圧力測定を行うように適応させられている。測定手段は、３つのポートをそれぞれ設けられた３つのカテーテル４を有している。３つのポートとは、すなわち、カテーテルチューブ６ａ，６ｂ，６ｃ（図３を見よ）への連結用の第１のポート５ａ，５ｂ，５ｃと、第２の排出ポート７と、内部に圧力センサー（図示せず）が構成された第３のポート８と、である。カテーテルには、２方向タップ（a two-way tap）９と、逆止弁（a non-return valve）１０と、が設けられている。このようなカテーテルは、参照してこの中に組み込まれる上述した国際特許出願ＷＯ０２／０７５９５内に十分に記載されている。
【００１１】
これに関して注意すべきは、好ましくはカテーテル４がカセットに一体化されていることである。カセットには凹部が設けられており、凹部上にはきっちり閉まるケーシングが液体が通過しない状態（in liquid-tight manner）で配置され、凹部とケーシングとが一緒にカテーテル４を形成している。しかしながら、カテーテルの構成部品と、その機能とは、これまでに参照を行ってきた公知のカテーテルのそれらと同一である。
【００１２】
カセット２は、図２に例示されているコネクター１３を用い、ホルダー３に取り外し自在に連結され得る。注意すべきは、たくさんのタイプの適当なコネクターが、カセットとホルダーとの取り外し自在な連結用として市販され入手可能ということである。
【００１３】
使用中、カセット２は患者の体液に接触するようになり、使い捨て物品とみなされるようになる。好ましくは、カセットに、例えばバッテリーの形式をとった電源装置が設けられている。再利用を防止するため、電源装置の寿命は、測定手段によって要求される測定の想定される測定時間に適合させられる。好ましくは、対象となる測定が一人の患者に対して１回だけ行われ得るように、寿命は選定される。カセットは液体が通過しないように密閉されている。
【００１４】
ホルダー３には無線通信手段が設けられている。通信手段は少なくとも１つの送信機、例えば、無線周波数送信機（a radio frequency transmitter）１１を有している。適当な受信機を有した周辺機器は、ホルダーから送られるデータを受信および／または電算処理することができる。このような周辺機器の例として、ラップトップおよびいわゆるパームトップと呼ばれる電子アジェンダ（electronic agendas）を含むパーソナルコンピューターがある。要望される場合には、通信手段が受信機、好ましくは無線周波数受信機（a radio frequency receiver）も有するようにしてもよい。適当な無線通信手段は、本質的に公知であり、市販され入手可能である。好ましくは、使用法は受信したデータの完全性および／または信頼性を監視するプロトコルに基づく。このようなプロトコルは、本質的に公知であり、ソフトウェアおよび／またはハードウェアの形態をとって市販され入手可能である。適当な無線通信手段の例として、ＩＢＭ社のブルー・トゥース（the Blue Tooth:登録商標）がある。
【００１５】
ホルダー３には、圧力センサーの測定値を読みとり送信に適したデータに変換するための電子機器が設けられている。この目的から、ホルダー３はデータをデジタル形式に変換する手段を有している。ホルダーがプリアンプも有するようにしてもよい。このような電子機器は市販されて入手可能であり、したがって、この分野の当業者にとって公知である。
【００１６】
ホルダー３には、接着剤付電極（図示せず）のような、ホルダーを患者に取り付けるための手段がさらに設けられており、ホルダー３は静止しておよび歩行しながら使用することに適している。ホルダー３は再利用の対象であり、再利用に適している。ホルダーは、例えば湿った布を用いるようなありふれた方法により、簡単に清潔にされ得る。ホルダーは、カセットへのコネクターによる液体を通過させない密閉によって、防まつ形に形成され得る。
【００１７】
図３は、実地状態における測定装置１を示す。直腸の腹圧測定用のカテーテルチューブ６ａがポート５ａに連結されている。同時に尿道内および膀胱内における圧力を測定するためのカテーテルチューブ６ｂがポート５ｂおよびポート５ｃに連結されている。
【００１８】
本発明による測定装置は、泌尿器学へ適用した状況において記載されてきた。しかしながら、要望される場合に、測定手段が、医学の他の分野において用いられるさまざまな他の測定手段に置き換えられ得ることは、この分野の当業者にとって自明である。このような測定手段の例として、例えば電極を測定するような、電気生理学上のデータを測定するための手段がある。また、測定装置は、ＥＣＧ測定や胃腸病学上の測定のような一般的電気生理学的検査を実施することに適している。当業者は、本質的に公知な他の測定手段を上述した測定装置との組み合わせにおいて用いることに、何ら困難性を持たないだろう。
【００１９】
図３においては、カテーテルに加えて、２つの測定電極１２がカセット２に連結されており、これにより、ＥＣＧ測定を行えるようになっている。
【００２０】
もちろん、本発明は、図示されるとともに記載された実施の形態に限定されるものではなく、図面を参照して理解することができるように添付の特許請求の範囲内に入るいずれの実施の形態も含むものである。
【図面の簡単な説明】
【００２１】
【図１】本発明による測定装置の第１の好ましい実施の形態を示す斜視図。
【図２】部品に分解された状態における図１の好ましい実施の形態を示す斜視図。
【図３】実地状態における連結部品とともに図１の好ましい実施の形態を示す斜視図。
【図１】
2005532863.tif 000003
【図２】
2005532863.tif 000004
【図３】
2005532863.tif 000005
【国際調査報告】
2005532863.tif 000006
2005532863.tif 000007
2005532863.tif 000008